(57)【要約】【課題】回転電機本体及び制御装置の一体化後のサイズを大型化させることなく、通風路の吸気口と排気口を、十分に離間させてリヤブラケットに形成することのできる電力供給ユニット一体型回転電機を得る。【解決手段】リヤブラケット４Ａ及びフロントブラケット４Ｂからなるハウジング３、回転子１０、固定子１５、及びファン１８ａを備える回転電機本体２と、回転電機本体２に一体に取り付けられる電力供給ユニット４０Ａと、を備え、電力供給ユニット４０Ａは、ファン１８ａとリヤブラケット４Ａの底部５Ａとの間に配置され、リヤブラケット４Ａは、ファン１８ａの径方向外側に位置する部位に形成された排気口６ｂ、及び電力供給ユニット４０Ａ，４０Ｂより底部５Ａ側に開口する吸気口６ａを有し、電力供給ユニット４０Ａとファン１８ａとの間に配設され、吸気口６ａから排気口６ｂに至る通風路を構成するための仕切り部材５１を備えている。【選択図】図１
2011166948.tif 000002
【特許請求の範囲】
【請求項１】
それぞれ、有底円筒状に形成され、開口部を相対させて連結されるリヤブラケット及びフロントブラケットからなるハウジング、一端側及び他端側を上記リヤブラケット及び上記フロントブラケットに回転可能に支持された回転軸に同軸に固定される回転子、上記回転子を囲繞するように配置され、上記リヤブラケット及び上記フロントブラケットの開口端部に挟持される固定子、及び上記回転子の一端部に取り付けられるファンを備える回転電機本体と、
上記固定子と上記回転子に電力を供給するパワー回路モジュールと界磁回路モジュール、及び上記パワー回路モジュールと上記界磁回路モジュールが取り付けられるヒートシンクを有し、上記回転電機本体に一体に取り付けられる電力供給ユニットと、
を備える電力供給ユニット一体型回転電機であって、
上記電力供給ユニットは、上記ファンと上記リヤブラケットの底部との間に配置され、
上記リヤブラケットは、上記ファンの径方向外側に位置する部位に形成された排気口、及び上記電力供給ユニットより上記底部側に開口する吸気口を有し、
上記電力供給ユニットと上記ファンとの間に、内径側を連通させるように配設され、上記ファンの回転時、上記ファンの内径側に発生する負圧によって上記吸気口から吸いこまれる空気を、上記ファンの負圧部に導いた後に上記排気口に送る通風路を構成する仕切り部材を備え、
上記ヒートシンクは、上記パワー回路モジュールと上記界磁回路モジュールが表面に取り付けられる板状のモジュール取付部、及び上記モジュール取付部の裏面に突設された第１放熱フィンを有し、上記第１放熱フィンを上記通風路内に延在させるように配置されていることを特徴とする電力供給ユニット一体型回転電機。
【請求項２】
上記モジュール取付部は、平板リング形状に作製され、
上記ヒートシンクは、上記第１放熱フィンを上記ファンに向け、かつ、上記モジュール取付部が上記回転軸を囲繞して上記回転軸の軸方向に直交するように配置され、
上記仕切り部材は、上記ファンの外周側と上記第１放熱フィンとの間に配置され、
上記通風路は、上記吸気口から上記モジュール取付部の外周部を通って、上記モジュール取付部の裏面と上記仕切り部材との間を内径側に流れて上記ファンの負圧部を経由し、さらに上記仕切り部材と上記回転子との間を通って上記排気口に至る第１通風路と、上記吸気口から上記モジュール取付部の表面側を内径側に流れ、上記モジュール取付部の表面側から上記モジュール取付部の内周部を経由して上記回転子側に流れて上記第１通風路に合流する第２通風路と、を有することを特徴とする請求項１記載の電力供給ユニット一体型回転電機。
【請求項３】
上記モジュール取付部の外周部から上記リヤブラケットとの間に間隔をあけて上記底部側に延在し、上記吸気口から吸気される空気を上記モジュール取付部の裏面と上記仕切り部材との間に案内する第１ガイド部４を備えていることを特徴とする請求項２に記載の電力供給ユニット一体型回転電機。
【請求項４】
上記モジュール取付部の内周部から上記底部側に延在し、上記モジュール取付部の表面側を内周部まで導かれた空気を上記モジュール取付部の裏面側に案内する第２ガイド部を備えていることを特徴とする請求項２または請求項３記載の電力供給ユニット一体型回転電機。
【請求項５】
上記第２ガイド部は、上記モジュール取付部に一体に作製され、第２放熱フィンが上記第２通風路内に延在するように上記第２ガイド部に突設されていることを特徴とする請求項４記載の電力供給ユニット一体型回転電機。
【請求項６】
上記第１ガイド部は、上記モジュール取付部に一体に作製され、第３放熱フィンが上記第１通風路内に延在するように上記第１ガイド部に突設されていることを特徴とする請求項３記載の電力供給ユニット一体型回転電機。
【請求項７】
それぞれ、有底円筒状に形成され、開口部を相対させて連結されるリヤブラケット及びフロントブラケットからなるハウジング、一端側及び他端側を上記リヤブラケット及び上記フロントブラケットに回転可能に支持された回転軸に同軸に固定される回転子、上記回転子を囲繞するように配置され、上記リヤブラケット及び上記フロントブラケットの開口端部に挟持される固定子、及び上記回転子の一端部に取り付けられるファンを備える回転電機本体と、
上記固定子と上記回転子に電力を供給するパワー回路モジュールと界磁回路モジュール、及び上記パワー回路モジュールと上記界磁回路モジュールが取り付けられるヒートシンクを有し、上記回転電機本体に一体に取り付けられる電力供給ユニットと、
を備える電力供給ユニット一体型回転電機であって、
上記電力供給ユニットは、上記ファンと上記リヤブラケットの底部との間に配置され、
上記リヤブラケットは、上記ファンの径方向外側に位置する部位に形成された排気口、及び上記電力供給ユニットより上記底部側に開口する吸気口を有し、
上記電力供給ユニットと上記ファンとの間に、内径側を連通させるように配設され、上記ファンの回転時、上記ファンの内径側に発生する負圧によって上記吸気口から吸いこまれる空気を、上記ファンの負圧部に導いた後に上記排気口に送る通風路を構成する仕切り部材を備え、
上記ヒートシンクは、断面Ｃ状、あるいは筒状に形成され、上記パワー回路モジュール及び上記界磁回路モジュールのそれぞれが、それぞれ取り付けられる取付面が、内周部及び外周部の一方に形成されるモジュール取付部、及び上記取付面の裏側に位置する上記モジュール取付部の内周部及び外周部の他方の部位に突設される放熱フィンを有し、上記取付面を上記回転軸の軸方向に平行に、かつ上記放熱フィンを上記通風路内に延在させて配置されていることを特徴とする電力供給ユニット一体型回転電機。
【請求項８】
上記パワー回路モジュール及び上記界磁回路モジュールは上記ヒートシンクと電気的に絶縁され、上記ヒートシンクと上記リヤブラケットとが同電位にされていることを特徴とする請求項１乃至請求項７のいずれか１項に記載の電力供給ユニット一体型回転電機。
【請求項９】
それぞれ、有底円筒状に形成され、開口部を相対させて連結されるリヤブラケット及びフロントブラケットからなるハウジング、一端側及び他端側を上記リヤブラケット及び上記フロントブラケットに回転可能に支持された回転軸に同軸に固定される回転子、上記回転子を囲繞するように配置され、上記リヤブラケット及び上記フロントブラケットの開口端部に挟持される固定子、及び上記回転子の一端部に取り付けられるファンを備える回転電機本体と、
上記固定子と上記回転子に電力を供給するパワー回路モジュールと界磁回路モジュール、及び上記パワー回路モジュールと上記界磁回路モジュールのそれぞれが、それぞれ取り付けられる複数の分割ヒートシンクを有し、上記回転電機本体に一体に取り付けられる電力供給ユニットと、
を備える電力供給ユニット一体型回転電機であって、
上記電力供給ユニットは、上記ファンと上記リヤブラケットの底部との間に配置され、
上記リヤブラケットは、上記ファンの径方向外側に位置する部位に形成された排気口、及び上記電力供給ユニットより上記底部側に開口する吸気口を有し、
上記電力供給ユニットと上記ファンとの間に、内径側を連通させるように配設され、上記ファンの回転時、上記ファンの内径側に発生する負圧によって上記吸気口から吸いこまれる空気を、上記ファンの負圧部に導いた後に上記排気口に送る通風路を構成する仕切り部材を備え、
上記分割ヒートシンクは、それぞれ、表面に上記パワー回路モジュール及び界磁回路モジュールのいずれかが取り付けられる板状のモジュール取付部、及び上記モジュール取付部の裏面に突設される放熱フィンを備え、
複数の上記分割ヒートシンクは、上記モジュール取付部を上記回転軸の軸方向に平行に、かつ上記放熱フィンを上記通風路内に延在させて配列されていることを特徴とする電力供給ユニット一体型回転電機。
【請求項１０】
撓み防止部材が、剛性を有する部材により作製され、上記回転軸の軸方向に延在するように上記リヤブラケットの壁面に取り付けられていることを特徴とする請求項１乃至請求項９のいずれか１項に記載の電力供給ユニット一体型回転電機。
【請求項１１】
突出部が、上記吸気口と上記排気口との間の上記リヤブラケットの外周部に、周方向に延在するように突設されていることを特徴とする請求項１乃至請求項１０のいずれか１項に記載の電力供給ユニット一体型回転電機。
【発明の詳細な説明】
【技術分野】
【０００１】
この発明は、電機子巻線を有する固定子、界磁巻線を有する回転子、及び固定子と回転子を支持するハウジングを有する回転電機本体に、電機子巻線や界磁巻線に電力を供給する電力供給ユニットが一体に取り付けられた電力供給ユニット一体型回転電機に関する。
【背景技術】
【０００２】
従来の制御装置一体型回転電機は、回転子、回転子を軸まわりに回転自在に支持する負荷側及び反負荷側ブラケット、回転子を囲繞するように配置され、負荷側及び反負荷側ブラケットに支持される固定子、及び回転子の軸方向両端に設けられ、回転子とともに回転し、固定子と回転子を冷却する冷却風を誘起するファンを有する回転電機本体と、回転電機本体を制御する制御部品、及び表面に制御部品が取り付けられる板状部と板状部の裏面に突設される放熱フィンにより構成され、放熱フィンを反負荷側ブラケットの回転子の軸方向の外側の壁部に向けるとともに、反負荷側ブラケットと板状部の間に所定の隙間をあけて配置され、当該隙間に冷却風が通過するように反負荷側ブラケットに固定された制御装置と、を備えている（例えば、特許文献１参照）。
【０００３】
そして、反負荷側ブラケットと板状部の間の隙間を吸気部とし、吸気部からフィンを通過させて反負荷側ブラケットに形成した貫通孔を介して反負荷側ブラケット内に入り、ファンの外周部の外側に位置する反負荷側ブラケットの部位に形成した排気部に至る通風路が形成されている。
【０００４】
ファンの回転に伴って絶えず誘起される冷却風が、吸気部から排気部に向かって通風路内を流れて、ハウジングの外側に排出される。これにより、制御部品に発生して放熱フィンに伝導された熱、及び固定子や回転子で発生する熱は、冷却風に奪われてハウジングの外側に排出されるので、制御部品、固定子、及び回転子が冷却される。
【先行技術文献】
【特許文献】
【０００５】
【特許文献１】特開２００６−３３９８６号公報
【発明の概要】
【発明が解決しようとする課題】
【０００６】
従来の制御装置一体型回転電機において、排気部と吸気部との距離を離すと反負荷側ブラケットの回転子の軸方向の寸法が大きくなってしまう。従来の制御装置一体型回転電機は、小型化を実現するため、排気部と吸気部の互いの間の距離を短く設定し、反負荷側ブラケットのサイズを小さく製造していた。
この場合、制御部品、固定子、及び回転子の熱を奪い、暖められて排気部から排出される空気が、十分に冷やされないまま吸入部から再び通風路に吸い込まれてしまい、制御部品、固定子、及び回転子が、十分に冷却されないという問題があった。
【０００７】
この発明は上記の課題を解決するためになされたものであり、パワー回路モジュール、及び界磁回路モジュールが取り付けられるヒートシンクをハウジング内に配置する構成とし、一体化した回転電機本体及び電力供給ユニットのサイズを大型化させることなく、パワー回路モジュールや界磁回路モジュールの熱を冷却するための空気が流される通風路の吸気口と排気口を、十分に離間させてリヤブラケットに形成することのできる電力供給ユニット一体型回転電機を得ることを目的とする。
【課題を解決するための手段】
【０００８】
この発明の電力供給ユニット一体型回転電機は、それぞれ、有底円筒状に形成され、開口部を相対させて連結されるリヤブラケット及びフロントブラケットからなるハウジング、一端側及び他端側をリヤブラケット及びフロントブラケットに回転可能に支持された回転軸に同軸に固定される回転子、回転子を囲繞するように配置され、リヤブラケット及びフロントブラケットの開口端部に挟持される固定子、及び回転子の一端部に取り付けられるファンを備える回転電機本体と、固定子と回転子に電力を供給するパワー回路モジュールと界磁回路モジュール、及びパワー回路モジュールと界磁回路モジュールが取り付けられるヒートシンクを有し、回転電機本体に一体に取り付けられる電力供給ユニットと、を備えている。そして、電力供給ユニットは、ファンとリヤブラケットの底部との間に配置され、リヤブラケットは、ファンの径方向外側に位置する部位に形成された排気口、及び電力供給ユニットより底部側に開口する吸気口を有し、さらに、電力供給ユニット一体型回転電機は、電力供給ユニットとファンとの間に、内径側を連通させるように配設され、ファンの回転時、ファンの内径側に発生する負圧によって吸気口から吸いこまれる空気を、ファンの負圧部に導いた後に排気口に送る通風路を構成するための仕切り部材を備えている。そして、ヒートシンクは、パワー回路モジュールと界磁回路モジュールが表面に取り付けられる板状のモジュール取付部、及びモジュール取付部の裏面に突設された第１放熱フィンを有し、第１放熱フィンを通風路内に延在させるように配置されている。
【発明の効果】
【０００９】
この発明に係る電力供給ユニット一体型回転電機によれば、電力供給ユニットがリヤブラケット内に配置され、吸気口が電力供給ユニットより底部側のリヤブラケットの部位に設けられ、排気口が電力供給ユニットより回転子側のリヤブラケットの部位に設けられている。このため、電力供給ユニット一体型回転電機を大型化させることなく、吸気口と排気口の間の距離を長くとることができる。これにより、排気口から排気された空気が吸気口に回り込んで、再度通風路に吸い込まれることが防止され、パワー回路モジュール、界磁回路モジュール、固定子、及び回転子を効果的に冷却することができる。
【図面の簡単な説明】
【００１０】
【図１】この発明の実施の形態１に係る電力供給ユニット一体型回転電機の断面図である。
【図２】図１のＩＩ−ＩＩ矢視断面図である。
【図３】この発明の実施の形態１に係る電力供給ユニット一体型回転電機のリヤブラケットの斜視図である。
【図４】図１のＩＶ−ＩＶ矢視断面図である。
【図５】この発明の実施の形態２に係る電力供給ユニット一体型回転電機の断面図である。
【図６】この発明の実施の形態３に係る電力供給ユニット一体型回転電機の要部断面図である。
【図７】撓み防止部材が取り付けられていない電力供給ユニット一体型回転電機のリヤブラケット側を模式的に示す要部断面図である。
【図８】この発明の実施の形態４に係る電力供給ユニット一体型回転電機の断面図である。
【図９】図８のＩＸ−ＩＸ矢視断面図である。
【図１０】この発明の実施の形態４に係る電力供給ユニット一体型回転電機のリヤブラケットの斜視図である。
【図１１】この発明の実施の形態５に係る電力供給ユニット一体型回転電機の要部断面図である。
【図１２】この発明の実施の形態５に係る電力供給ユニット一体型回転電機のヒートシンクの他の実施態様を示す分解斜視図である。
【発明を実施するための形態】
【００１１】
以下、この発明を実施するための最良の形態について、図面を参照して説明する。
【００１２】
実施の形態１．
図１はこの発明の実施の形態１に係る電力供給ユニット一体型回転電機の断面図、図２は図１のＩＩ−ＩＩ矢視断面図、図３はこの発明の実施の形態１に係る電力供給ユニット一体型回転電機のリヤブラケットの斜視図、図４は図１のＩＶ−ＩＶ矢視断面図である。
【００１３】
図１〜図４において、電力供給ユニット一体型回転電機１Ａは、回転電機本体２と、回転電機本体２に一体に取り付けられる制御装置３０と、を有する。
【００１４】
回転電機本体２は、ボルト（図示せず）を用いて一体化されたリヤブラケット４Ａ及びフロントブラケット４Ｂからなるハウジング３と、リヤブラケット４Ａ及びフロントブラケット４Ｂに取り付けられた一対の軸受け９ａ，９ｂに軸周りに回転自在に支持される回転軸２０と、ハウジング３内で回転軸２０に同軸に固定されて回転軸２０とともに回転する回転子１０と、回転子１０の外周側を囲繞するようにハウジング３に固定された固定子１５と、回転軸２０の一端に取り付けられ、回転子１０の回転角度を検出するレゾルバ２６と、回転軸２０の他端に固定されたプーリ８と、を備える。
【００１５】
また、回転電機本体２は、回転子１０の回転軸方向の両端部に、回転子１０に同軸に取り付けられるファン１８ａ，１８ｂと、回転子１０の回転軸方向の一側で回転軸２０に固定され、回転子１０に電流を供給するスリップリング２１と、スリップリング２１に摺接するようにリヤブラケット４Ａに支持されるブラシホルダ２２に収納された一対のブラシ２４と、を備えている。
【００１６】
リヤブラケット４Ａは、図３に示されるように底部５Ａ及び筒状部６Ａからなる概略有底円筒状に作製され、軸挿通孔が底部の中央部に開口するように形成されている。
また、複数の吸気口６ａが、筒状部６Ａの軸方向の一端側に周方向に略等角ピッチで形成され、排気口６ｂが、筒状部６Ａの軸方向の他端側に周方向に吸気口６ａと同じピッチで形成されている。
吸気口６ａ及び排気口６ｂは、長手方向が筒状部６Ａの軸方向に一致する長穴形状に形成されている。また、吸気口６ａの長手方向の一端は、筒状部６Ａから底部５Ａの外縁を含む部位に至るように形成されている。
【００１７】
また、フロントブラケット４Ｂは、底部５Ｂ及び筒状部６Ｂからなる概略有底円筒状に作製され、軸挿通孔が底部５Ｂの中央部に開口するように形成されている。
そして、リヤブラケット４Ａ及びフロントブラケット４Ｂは、それぞれの開口部を相対させて配置され、図示しないボルトにより連結されてハウジング３を構成している。
【００１８】
そして、回転軸２０が、一端及び他端を、底部５Ａ，５Ｂのそれぞれに形成された軸挿通孔に取り付けられた一対の軸受け９ａ，９ｂに回転自在に支持されている。
【００１９】
回転子１０は、電流が流されて磁束を発生する界磁巻線１１と、界磁巻線１１を覆うように設けられ、界磁巻線１１に発生した磁束によって磁極が形成される一対のポールコア体１２とから構成される。一対のポールコア体１２は、鉄製で、それぞれ、例えば８つの爪状磁極が外周縁に周方向に等角ピッチで軸方向に突設され、爪状磁極をかみ合わせるように対向して回転軸２０に固定されている。
【００２０】
固定子１５は、固定子コア１６と、固定子コア１６に巻装された電機子巻線１７と、を備えている。なお、電機子巻線１７は、それぞれスター結線された２つの３相交流巻線（図示せず）により構成されている。
【００２１】
固定子１５は、回転子１０を囲繞して配置され、リヤブラケット４Ａ及びフロントブラケット４Ｂの開口端部に挟持されている。このとき、リヤブラケット４Ａに形成された排気口６ｂは、ファン１８ａの径方向外側に位置している。
【００２２】
また、ブラシホルダ２２は、一面が開口し、開口部と相対する底部と開口部の間に所定の奥行きを有する箱状に形成されている。そして、一対のブラシ２４が、一部を開口から突出させ、それぞれ奥行き方向に延在するように互いに平行にブラシホルダ２２に収納されている。なお、ブラシホルダ２２は、ブラシ２４の配列方向に所定の幅を有している。また、詳細には図示しないが、ブラシホルダ２２には、一対のブラシ２４の配列方向に空気を通すための通し穴が形成されている。
【００２３】
そして、ブラシホルダ２２は、開口部をスリップリング２１に向けるとともに、幅方向を回転軸２０の軸方向に一致させて配置されている。また、ブラシホルダ２２の開口部から突出されるブラシ２４の端部が、スリップリング２１に接している。
以上のように回転電機本体２が構成されている。
【００２４】
制御装置３０は、電力供給ユニット４０Ａと、通風路形成手段５０Ａと、制御ユニット６０と、により構成されている。
【００２５】
電力供給ユニット４０Ａは、ベースプレート４２Ａ、及びベースプレート４２Ａから延出される第１放熱フィン４３ａからなり、リヤブラケット４Ａに支持されてハウンジング３内に配置されるヒートシンク４１Ａと、ベースプレート４２Ａに取り付けられ、固定子１５に供給する電流をＯＮ／ＯＦＦするスイッチング素子（図示せず）を有する３対の第１及び第２パワー回路モジュール４５ａ，４５ｂと、ベースプレート４２Ａに取り付けられ、回転子１０に供給する電流をＯＮ／ＯＦＦするスイッチング素子を有する界磁回路モジュール４５ｃと、を備えている。
【００２６】
ヒートシンク４１Ａはアルミダイキャストにより作製されている。ベースプレート４２Ａは、中心に貫通孔が挿通された円盤形状をなし、第１及び第２パワー回路モジュール４５ａ，４５ｂと界磁回路モジュール４５ｃが取り付けられる取付面を表面に有するモジュール取付部４２ａ、及び第１及び第２パワー回路モジュール４５ａ，４５ｂと界磁回路モジュール４５ｃが取り付けられる部位の径方向外側の縁部に突設された第１ガイド部４２ｂを有している。
【００２７】
また、複数の第１放熱フィン４３ａは、モジュール取付部４２ａの周方向全域に等角ピッチで延出されている。なお、界磁回路モジュール２５ｃが取り付けられるモジュール取付部４２ａの部位の裏側から延出される第１放熱フィン４３ａの延出長さは、他のモジュール取付部４２ａの裏面から延出される第１放熱フィン４３ａの長さより短くなっている。
このとき、延出長さの短い複数の第１放熱フィン４３ａのうち、配列方向の両端に位置する第１放熱フィン４３ａ間の間隔が、おおよそブラシホルダ２２の幅に対応している。
【００２８】
第１及び第２パワー回路モジュール４５ａ，４５ｂは、スイッチング素子の制御信号の入力に利用される複数の第１リード端子４６、固定子１５の電機子巻線１７との間の電力授受に利用される複数の第２リード端子４７、及びスイッチング素子を封止する封止体４８を備えている。なお、第１及び第２パワー回路モジュール４５ａ，４５ｂは、第１リード端子４６、及び第２リード端子４７をモールド成形により一体化して作製されるモールド封止型モジュールとして構成されている。
【００２９】
封止体４８は、モールド成形に用いられた樹脂が硬化されたものからなり、詳細には図示しないが、封止体４８の裏面には、第２リード端子４７に接続される放熱導電部（図示せず）が露出されている。また、封止体４８は、第１リード端子４６及び第２リード端子４７のそれぞれが延出される互いに相対する側面を有し、一方の側面から第１リード端子４６が延出され、他方の側面から第２リード端子４７が延出されている。
【００３０】
また、第１及び第２パワー回路モジュール４５ａ，４５ｂは、鏡面対称構造に作製されている。
具体的には、第１及び第２パワー回路モジュール４５ａ，４５ｂは、第１リード端子４６が延出される封止体４８の側面が、第１リード端子４６の配列方向に位置するように、同一平面上に放熱伝導部を載置して並べたときに、封止体４８が、第１及び第２パワー回路モジュール４５ａ，４５ｂの配列方向の中間部の両側で鏡面対称になるように構成されている。
【００３１】
また、界磁回路モジュール４５ｃは、第１及び第２パワー回路モジュール４５ａ，４５ｂと同様の構成を有する。但し、界磁回路モジュール４５ｃの第２リード端子４７は回転子１０の界磁巻線１１との間の電力授受に利用される。
【００３２】
通風路形成手段５０Ａは、電力供給ユニット４０Ａとファン１８ａとの間を仕切る仕切り部材５１、及び第１ガイド部４２ｂにより構成される。
仕切り部材５１は、仕切り板５２及びブラシ２４が装着されたブラシホルダ２２により構成されている。
仕切り板５２は、図４に示されるようにＣ字形の平板形状に作製され、Ｃ字の両端部間に形成される空間の幅は、ブラシホルダ２２の幅に対応している。
【００３３】
また、制御ユニット６０は、リヤブラケット４Ａの外部に固定される外部ケース６１と、外部ケース６１内に装着され、第１及び第２パワー回路モジュール４５ａ，４５ｂと界磁回路モジュール４５ｃのスイッチング素子の制御信号を出力する制御回路部（図示せず）を有する制御基板６２と、を備えている。
【００３４】
次いで、回転電機本体２への制御装置３０の取付構造について説明する。
界磁回路モジュール４５ｃは、長さの短い第１放熱フィン４３ａに対応するモジュール取付部４２ａの表面に取り付けられている。さらに、第１及び第２パワー回路モジュール４５ａ，４５ｂが、残りのモジュール取付部４２ａの表面にモジュール取付部４２ａの周方向に、第１パワー回路モジュール４５ａと第２パワー回路モジュール４５ｂが交互に配列されるように取り付けられて電力供給ユニット４０Ａが構成される。
【００３５】
このとき、界磁回路モジュール４５ｃと第１及び第２パワー回路モジュール４５ａ，４５ｂは、第２リード端子４７をモジュール取付部４２ａの径方向の外側に向けるとともに裏面をモジュール取付部４２ａの表面に向け、ヒートシンク４１Ａとの間の電気的な絶縁を保ってモジュール取付部４２ａの表面に取り付けられている。
【００３６】
そして、電力供給ユニット４０Ａは、ファン１８ａとリヤブラケット４Ａの底部５Ａとの間に配置される。このとき、電力供給ユニット４０Ａは、ヒートシンク４１Ａの第１放熱フィン４３ａの先端を一方のファン１８ａに向け、モジュール取付部４２ａが回転軸２０に直交するように、モジュール取付部４２ａに形成された貫通孔に回転軸２０を同軸に挿通させて配置されている。
【００３７】
このとき、ヒートシンク４１Ａは、延出長さの短い第１放熱フィン４３ａの先端側にブラシホルダ２２が収納されるように配置されている。
【００３８】
そして、ボルト６５が、ヒートシンク４１Ａの第１放熱フィン４３ａ側からモジュール取付部４２ａに挿通されてリヤブラケット４Ａの底部５Ａに螺着され、電力供給ユニット４０Ａは、ボルト６５を介してリヤブラケット４Ａに固定されている。これにより、ヒートシンク４１Ａとハウジング３とは同電位となる。
【００３９】
電力供給ユニット４０Ａがこのように底部５Ａとファン１８ａとの間に配置されているので、筒状部６Ａの軸方向の一端側に形成された吸気口６ａの開口部は、電力供給ユニット４０Ａより底部５Ａ側に位置する。排気口６ｂは、ファン１８ａの径方向外側に位置しているので、電力供給ユニット４０Ａより回転子１０側に位置する。
【００４０】
また、仕切り板５２が、表裏両面を回転軸２０の軸方向（回転子１０の回転軸方向）に直交させ、ファン１８ａの外周側の部位と、当該部位と相対する第１放熱フィン４３ａの先端との間を仕切るようにリヤブラケット４Ａ内に設けられている。このとき、仕切り板５２は、図４に示されるように、回転軸２０を囲むように配置され、Ｃ字の一端及び他端の間にブラシホルダ２２が配置されるように、回転軸２０の軸まわりの位置が調整されている。また、仕切り板５２の外周部は、図１に示されるように、排気口６ｂの吸気口６ａ側に隣接するリヤブラケット４Ａの部位と略隙間なく相対している。
【００４１】
以上をまとめると、仕切り部材５１は、電力供給ユニット４０Ａとファン１８ａとの間に、電力供給ユニット４０Ａ及びファン１８ａの内径側を連通させるようにリヤブラケット４Ａ内に設けられている。
【００４２】
上述したように、ブラシホルダ２２の一端側には、内部に収納される一対のブラシ２４の配列方向に空気を通すための通し穴が形成されている。
そして、図１の矢印付きの一点鎖線で示されるように、吸気口６ａから排気口６ｂに至る第１通風路が、ベースプレート４２Ａ、通風路形成手段５０Ａ、回転子１０、及び固定子１５によってリヤブラケット４Ａ内に構成される。
【００４３】
第１通風路は、吸気口６ａからモジュール取付部４２ａの外周部を通って、モジュール取付部４２ａの裏面と仕切り部材５１との間を、仕切り部材５１の内径側に向かって進んでファン１８ａの径方向の内側を経由し、さらに回転子１０及び固定子１５と仕切り部材５１との間を通って排気口６ｂに至るように構成されている。このとき、第１通風路の延在方向は、ファン１８ａの内径側の前後で反転している。
【００４４】
また、このように第１通風路を構成したので、ヒートシンク４１Ａは、第１通風路内に第１放熱フィン４３ａを延在させて配置される。
【００４５】
また、制御ユニット６０の外部ケース６１は、リヤブラケット４Ａの底部５Ａの外壁に固定されている。
さらに、中継基板７０が、第１及び第２パワー回路モジュール４５ａ，４５ｂと界磁回路モジュール４５ｃの第１リード端子４６に取り付けられ、制御基板６２と中継基板７０とが図示しないコネクタを介して連結されている。中継基板７０は、各第１リード端子４６が連結される部位とコネクタが連結される部位とを接続する配線パターンを有している。
【００４６】
これにより、制御基板６２の制御回路部は、制御信号を第１及び第２パワー回路モジュール４５ａ，４５ｂと界磁回路モジュール４５ｃの第１リード端子４６に出力可能となる。
【００４７】
また、詳細には図示しないが、電機子巻線１７を構成する各３相交流巻線の口出し線１９のそれぞれは、仕切り板５２に設けられた中継ターミナルのそれぞれに連結されている。そして、口出し線１９は、第１及び第２パワー回路モジュール４５ａ，４５ｂの第２リード端子４７と中継ターミナルとを連結する配線部材を介して第２リード端子４７に電気的に接続されている。また、ブラシ２４と界磁回路モジュール４５ｃの第２リード端子４７とが配線部材により電気的に接続されている。これにより、電機子巻線１７と界磁巻線１１のそれぞれに、第１及び第２パワー回路モジュール４５ａ，４５ｂと界磁回路モジュール４５ｃのそれぞれの第２リード端子４７から電力を供給することが可能になる。
以上のように回転電機本体２と制御装置３０とが一体化されて電力供給ユニット一体型回転電機１Ａが構成されている。
【００４８】
次いで、電力供給ユニット一体型回転電機１Ａのシステム構成について説明する。
電力供給ユニット一体型回転電機１Ａでは、詳細には図示しないが、計６つの第１及び第２パワー回路モジュール４５ａ，４５ｂのうちの３つずつのパワー回路モジュールが、インバータユニットを構成している。また、制御基板６２の制御回路部は、第１及び第２パワー回路モジュール４５ａ，４５ｂと界磁回路モジュール４５ｃのスイッチング素子のＯＮ／ＯＦＦを制御可能に接続されている。
【００４９】
また、バッテリ、電機子巻線１７を構成する３相交流巻線、及びインバータユニットが、３相交流巻線の各相巻線への電力供給制御を、インバータユニットを構成するパワー回路モジュールのスイッチング素子のＯＮ／ＯＦＦ制御により行うことが可能なように、
に接続されている。
また、バッテリ、界磁巻線１１、及び界磁回路モジュール４５ｃが、界磁巻線１１への電力供給制御を、界磁回路モジュール４５ｃのスイッチング素子のＯＮ／ＯＦＦ制御により行うことが可能なように接続されている。
【００５０】
電力供給ユニット一体型回転電機１Ａの動作について説明する。
電力供給ユニット一体型回転電機１Ａは、電動機及び発電機の両方の機能を併せ持ち、例えば、エンジンの停止と始動が頻繁に行われるアイドリングストップ車などに用いられる。
【００５１】
まず、電動機としての動作について説明する。詳細には図示しないが、エンジンの始動時には、直流電力がバッテリからインバータユニットに供給される。制御基板６２に実装された制御回路部が、各インバータユニットを構成する第１及び第２パワー回路モジュール４５ａ，４５ｂのスイッチング素子をＯＮ／ＯＦＦ制御し、バッテリからインバータユニットに入力された直流電流が３相交流電流に変換されて３相交流巻線に供給される。
【００５２】
また、制御基板６２から入力される制御信号に応じた電流が供給されている界磁巻線１１の周囲に回転磁界が発生し、回転子１０が回転される。回転子１０の回転力が、プーリ８（図１参照）から図示しないベルトを介してエンジンに伝達されてエンジンが始動される。
【００５３】
このとき、回転子１０が回転されると、ファン１８ａ，１８ｂが回転し、一方のファン１８ａ側では、ファン１８ａの内径側から径方向の外側に向かって空気が流れて排気口６ｂから排出され、ファン１８ａの内径側が負圧となる。
【００５４】
これにより、吸気口６ａから、リヤブラケット４Ａの外部の空気が吸い込まれ、吸い込まれた空気は、モジュール取付部４２ａの外周部を通って、モジュール取付部４２ａの裏面と仕切り部材５１との間を内径側に流れてファン１８ａの負圧部に導かれる。
このとき、第１ガイド部４２ｂが、吸気口６ａから吸入された空気を、モジュール取付部４２ａの裏面と仕切り部材５１の間に案内する。
そして、ファン１８ａの負圧部に導かれた空気は、仕切り部材５１と回転子１０との間を通って排気口６ｂに送られて、リヤブラケット４Ａの外側に排出される。
【００５５】
第１及び第２パワー回路モジュール４５ａ，４５ｂと界磁回路モジュール４５ｃで発生して第１放熱フィン４３ａに伝導された熱、及び固定子１５や回転子１０で発生する熱が、第１通風路を移動する空気により奪われて排気口６ｂからハウンジング３の外部に放出されるので、第１及び第２パワー回路モジュール４５ａ，４５ｂ、界磁回路モジュール４５ｃ、固定子１５、及び回転子１０が冷却される。
【００５６】
次いで、発電機としての動作を説明する。
エンジンが始動されると、エンジンの回転力が図示しないクランク軸、ベルト及びプーリ８を介して回転軸２０に伝達される。これにより、回転子１０が回転され、電機子巻線１７の３相交流巻線に３相交流電圧が誘起される。そこで、制御基板６２に実装された制御回路部がインバータユニットのスイッチング素子をＯＮ／ＯＦＦ制御し、３相交流巻線に誘起された３相交流電力を直流電力に変換し、この直流電力によりバッテリが充電される。
【００５７】
また、回転子１０が回転されると、電動機としての動作説明と同様に第１と第２パワー回路モジュール４５ａ，４５ｂ、界磁回路モジュール４５ｃ、固定子１５、及び回転子１０が冷却される。
【００５８】
この実施の形態１による電力供給ユニット一体型回転電機１Ａは、電力供給ユニット４０Ａが、ファン１８ａとリヤブラケット４Ａの底部５Ａとの間に配置されている。リヤブラケット４Ａには、排気口６ｂが、電力供給ユニット４０Ａより回転子１０側の部位に形成され、吸気口６ａが、電力供給ユニット４０Ａより底部５Ａ側に開口するように形成されている。また、回転軸２０を囲繞する仕切り部材５１が、電力供給ユニット４０Ａとファン１８ａとの間に、電力供給ユニット４０Ｂ及びファン１８ａの内径側を連通させるように配設されている。そして、仕切り部材５１の配設によって、ファン１８ａの回転時、ファン１８ａの内径側に発生する負圧によって吸気口６ａから吸いこまれる空気を、ファン１８ａの負圧部に導いた後に排気口６ｂに送る第１通風路が、ベースプレート４２Ａ、及び回転子１０及び固定子１５とともにリヤブラケット４Ａ内に構成される。
【００５９】
また、ヒートシンク４１Ａは、第１及び第２パワー回路モジュール４５ａ，４５ｂと界磁回路モジュール４５ｃが表面に取り付けられる板状のモジュール取付部４２ａ、及びモジュール取付部４２ａの裏面に突設された第１放熱フィン４３ａを有し、第１放熱フィン４３ａを通風路内に延在させるように配置されている。
【００６０】
以上のように、電力供給ユニット４０Ａをリヤブラケット４Ａ内に配置し、吸気口６ａ及び排気口６ｂをリヤブラケット４Ａの底部５Ａ側及び回転子１０側に設けたので、回転軸２０の軸方向に関し、ヒートシンクの放熱フィンに対応する位置に吸気部を有していた従来の制御装置一体型回転電機に比べ、電力供給ユニット一体型回転電機１Ａのサイズを大型化させることなく、吸気口６ａと排気口６ｂとの間の距離を長くとることができる。
【００６１】
これにより、排気口６ｂでは、吸気口６ａでの空気の吸引の影響を受けにくくなり、排気口６ｂから排気された空気が、吸気口６ａに回り込んで、再び第１通風路に吸い込まれることが防止される。また、仮に、排気口６ｂから排出された空気が吸気口６ａに回り込んでも、吸気口６ａに回り込む間に冷やされてから第１通風路に流れ込む。従って、第１と第２パワー回路モジュール４５ａ，４５ｂ、界磁回路モジュール４５ｃ、固定子１５、及び回転子１０を効果的に冷却することができる。
【００６２】
また、第１及び第２パワー回路モジュール４５ａ，４５ｂと界磁回路モジュール４５ｃが、ヒートシンク４１Ａに電気的に絶縁されて取り付けられ、また、ヒートシンク４１Ａとハウジング３は同電位となるように接続されている。
【００６３】
通常、自動車に搭載される電力供給ユニット一体型回転電機１Ａでは、ハウジング３は接地される。仮に、ヒートシンク４１Ａとハウジング３とが同電位に設定されていない場合、以下の不具合が生じる。
つまり、自動車に衝撃が加わって、リヤブラケット４Ａがある程度変形し、ヒートシンク４１Ａに接触してしまうと、ヒートシンク４１Ａとリヤブラケット４Ａが短絡し、大きな電流が流れてしまう。この問題に対応するため、ヒートシンク４１Ａとリヤブラケット４Ａとの間の隙間を広くして、リヤブラケット４Ａが変形してもヒートシンク４１Ａに接触させないようにする対策が取られる。この場合、ヒートシンク４１Ａが小型化されるので、第１放熱フィン４３ａの放熱面積の縮小してしまう。
【００６４】
一方、第１及び第２パワー回路モジュール４５ａ，４５ｂ及び界磁回路モジュール４５ｃをヒートシンク４１Ａに対して電気的に絶縁し、予め、ヒートシンク４１Ａとハウジング３とを同電位にしておけば、ヒートシンク４１Ａとリヤブラケット４Ａとの接触を考慮して、ヒートシンク４１Ａとリヤブラケット４Ａとの間の隙間を広くとる必要がなくなる。
このため、第１放熱フィン４３ａの放熱面積を拡大することができるので、ヒートシンク４１Ａの放熱性能が向上する。
【００６５】
なお、この実施の形態１では、第１ガイド部４２ｂが、ヒートシンク４１Ａのベースプレート４２Ａの一部を構成するようにモジュール取付部４２ａに一体に作製されるものとして説明したが、第１ガイド部は、ヒートシンクとは別の部材で構成されていてもよい。
【００６６】
さらに、第１ガイド部４２ｂは、必ずしも設ける必要はなく、省略してもよい。
但し、第１ガイド部４２ｂを設けることで、吸気口６ａから吸入された空気を、モジュール取付部４２ａの裏面側にスムーズに案内する役割を果たすので、ファン１８ａの回転時に第１通風路を流れる空気の乱れを抑えることができる。
【００６７】
また、第１放熱フィン４３ａは、モジュール取付部４２ａの裏面の全域から突出されるものとして説明したが、第１及び第２パワー回路モジュール４５ａ，４５ｂと界磁回路モジュール４５ｃの裏側に位置するモジュール取付部４２ａの裏面の部位に突設されていれば、モジュール取付部４２ａの裏面の全域から突出させる必要はない。
また、排気口６ｂは、筒状部６Ａの開口端から離れた位置に開口を有するようにリヤブラケット４Ａに形成されるものとして説明したが、排気口は、筒状部６Ａの開口側端部に開口する切り欠きにより形成されていてもよい。
【００６８】
排気口６ｂが形成されたリヤブラケット４Ａをダイキャストにより作製しようとする場合、リヤブラケット４Ａの筒状部６Ａの軸方向にスライドさせる金型と、リヤブラケット４Ａの筒状部６Ａの径方向にスライド移動させる排気口形成用の金型と、を用意する必要がある。
これに対し、排気口が、筒状部の開口側端部に開口する切り欠きで形成されていれば、リヤブラケットの筒状部の軸方向にスライドさせる金型のみでリヤブラケットを作製可能となるので、リヤブラケットを低コストで作製することができる。
【００６９】
実施の形態２．
図５はこの発明の実施の形態２に係る電力供給ユニット一体型回転電機の断面図である。
なお、図５において、上記実施の形態１と同一または相当部分には同一符号を付し、その説明は省略する。
【００７０】
図５において、電力供給ユニット一体型回転電機１Ｂは、ヒートシンク４１Ａに代えヒートシンク４１Ｂが用いられている他は、電力供給ユニット一体型回転電機１Ａと同様に構成されている。
【００７１】
ヒートシンク４１Ｂのベースプレート４２Ｂは、モジュール取付部４２ａの中央部に形成した貫通穴の縁部全域からモジュール取付部４２ａの表面側に突設された筒状の第２ガイド部４２ｃを有する。また、第２放熱フィン４３ｂが、第２ガイド部４２ｃの内面から第２ガイド部４２ｃのおおよそ周方向に配列されるように突設されている。このとき、第２放熱フィン４３ｂの放熱面は、モジュール取付部４２ａに直交する方向に平行となっている。ヒートシンク４１Ｂの他の構成は、ヒートシンク４１Ａと同様である。そして、通風路形成手段５０Ｂは、仕切り部材５１、第１ガイド部４２ｂ、及び第２ガイド部４２ｃにより構成される。
【００７２】
ヒートシンク４１Ｂは、モジュール取付部４２ａとリヤブラケット４Ａの配置関係が、ヒートシンク４１Ａのモジュール取付部４２ａとリヤブラケット４Ａとの配置関係と同様となるように、リヤブラケット４Ａ内に支持されている。これにより、第２ガイド部４２ｃは、モジュール取付部４２ａの内周部から底部５Ａ側に延在する。
【００７３】
以上のように構成された電力供給ユニット一体型回転電機１Ｂにおいては、図５の矢印付きの一点鎖線で示されるように、第２通風路は、ベースプレート４２Ｂのモジュール取付部４２ａの表面とリヤブラケット４Ａの底部５Ａとの間の空間、及び第２ガイド部４２ｃとリヤブラケット４Ａの軸挿通孔を形成する部位との間の空間を経由して第１通風路に合流する経路をとるように形成されている。
【００７４】
つまり、第２通風路は、ファン１８ａの回転時、吸気口６ａから吸いこまれた空気が、モジュール取付部４２ａの表面側を内径側に流れ、モジュール取付部４２ａの表面側からモジュール取付部４２ａの内周部を経由して回転子１０側に向かい、第１通風路に合流するように構成されている。
また、第２ガイド部４２ｃに突設された第２放熱フィン４３ｂは、第２通風路に延在される。
【００７５】
以上のように構成された電力供給ユニット一体型回転電機１Ｂでは、ファン１８ａ，１８ｂが回転されると、ファン１８ａの内側から外側に向かって空気が流れて排気口６ｂから排出される。これにより、ファン１８ａの中央部側が負圧となるので、吸気口６ａから吸いこまれる。吸い込まれた空気は、第１通風路を流れて排気口６ｂから排出されるものと、第２通風路を流れた後、ファン１８ａの負圧部の手前で第１通風路に合流して排気口６ｂから排出されるものに分かれる。このとき、第２ガイド部４２ｃは、吸気口６ａから、モジュール取付部４２ａの表面側を通過して内周部まで導かれた空気を、モジュール取付部４２ａの裏面側に案内する役割を果たす。
【００７６】
この実施の形態２の電力供給ユニット一体型回転電機１Ｂによれば、第１通風路に加え、第２通風路が、吸気口６ａからモジュール取付部４２ａの表面側を筒状部６Ａの内径側に流れ、モジュール取付部４２ａの表面側からモジュール取付部４２ａの内周部を経由して回転子１０側に流れて第１通風路に合流するように、空気を流すように形成される。
また、第２ガイド部４２ｃが、モジュール取付部４２ａの内周部から底部５Ａ側に延在するように設けられ、第２放熱フィン４３ｂが、第２通風路内に延在するように第２ガイド部４２ｃに突設されている。
【００７７】
第１放熱フィン４３ａに加えて、第２放熱フィン４３ｂを第２通風路に設けたことにより、第１及び第２パワー回路モジュール４５ａ，４５ｂと界磁回路モジュール４５ｃの熱を放熱するための放熱面積が増大する。従って、実施の形態１の効果に加えて、第１及び第２パワー回路モジュール４５ａ，４５ｂと界磁回路モジュール４５ｃを効果的に冷却することができるという効果が得られる。
【００７８】
ここで、前述したように、第１通風路の延在方向は、ファン１８ａの負圧部を通過する前後でファン１８ａの内径側からファン１８ａの外径側に反転している。このため、仮に第２通風路がない場合、第１通風路を流れる空気は、ファン１８ａの回転時、ファン１８ａの負圧部付近で滞留しがちとなる。
【００７９】
しかし、第２通風路が、ファン１８ａの負圧部に至る手前で第１通風路と合流するように設けられており、かつ、第１通風路との合流部での第２通風路内の空気は、ファン１８ａの負圧部と相対する側から回転子１０（ファン１８ａ）側に向かって流れる。
このため、第１通風路との合流部まで第２通風路を流れていきた空気は、ファン１８ａの負圧部の手前まで第１通風路を流れてきた空気を、ファン１８ａの負圧部までスムーズに導く。これにより、ファン１８ａの手前で空気が滞留することが抑制される。従って、吸気口６ａから吸入された空気が、第１通風路及び第２通風路内で滞留することなく流れるので、第１と第２パワー回路モジュール４５ａ，４５ｂ、界磁回路モジュール４５ｃ、固定子１５、及び回転子１０を一層効果的に冷却することができる。
【００８０】
なお、第１通風路に合流する手前の第２通風路内の風量を第１通風路内の風量よりも大きくすることで、第１通風路のファン１８ａの手前で滞留しようとする空気をファン１８ａまで導く効果が一層高くなる。第１通風路及び第２通風路内の風量は、第１放熱フィン４３ａの配列ピッチと第２放熱フィン４３ｂの配列ピッチに差を持たせたり、第１放熱フィン４３ａと第２放熱フィン４３ｂのベースプレート４２Ｂからの延出長に差を持たせたりすることで、適宜異なる風量に設定できる。具体的には、例えば、第２放熱フィン４３ｂの配列ピッチを第１放熱フィン４３ａの配列ピッチより広くして、第２放熱フィン間を流れる空気の圧力損失を、第１放熱フィン４３ｂ間を流れる空気の圧力損失より小さくするなどすればよい。
【００８１】
また、第１及び第２パワー回路モジュール４５ａ，４５ｂと界磁回路モジュール４５ｃで発生する熱を、第２放熱フィン４３ｂに伝導しやすくすることで、第２放熱フィン４３ｂによる放熱を有効に活用できる。この場合、例えば、第２ガイド部４２ｃの厚みをなるべく厚くするなどすればよい。
【００８２】
なお、この実施の形態２では、第２ガイド部４２ｃは、ヒートシンク４１Ｂのベースプレート４２Ｂの一部を構成するように、モジュール取付部４２ａに一体に作製されるものとして説明したが、第２ガイド部は、ヒートシンクとは別の部材で構成されていてもよい。
【００８３】
さらに、第２ガイド部４２ｃ及び第２放熱フィン４３ｂは、必ずしも設ける必要はなく、省略してもよい。
但し、第２ガイド部４２ｃを設けることで、モジュール取付部４２ａの表面側からモジュール取付部４２ａの内周部を経由して回転子１０側に向かう空気の流れが安定するので、ファン１８ａの負圧部の手前での空気の滞留防止効果を高めることできる。
【００８４】
実施の形態３．
図６はこの発明の実施の形態３に係る電力供給ユニット一体型回転電機の要部断面図である。
なお、図６において上記実施の形態１，２と同一及び相当部分には同一符号を付し、その説明は省略する。
【００８５】
図６において、電力供給ユニット一体型回転電機１Ｃは、ヒートシンク４１Ｂに代えてヒートシンク４１Ｃが用いられ、さらにリヤブラケット４Ａの筒状部６Ａに一体に固定される複数の撓み防止部材８０を備える他は、電力供給ユニット一体型回転電機１Ｂと同様に構成されている。
【００８６】
ヒートシンク４１Ｃのベースプレート４２Ｃは、第１ガイド部４２ｂが省略されている他は、ベースプレート４２Ｂと同様に構成されている。
そして、通風路形成手段５０Ｃが、仕切り部材５１、及び第２ガイド部４２ｃにより構成される。
【００８７】
撓み防止部材８０は、アルミなどの剛性を有する材料を用いて所定の厚さで所定の長さの板状に形成されている。
撓み防止部材８０は、長手方向を筒状部６Ａの軸方向に一致させ、筒状部６Ａの内周面から筒状部６Ａの径方向内側に延出されるように固定されている。
【００８８】
ここで、撓み防止部材８０を取り付けたことによる効果を説明するため、撓み防止部材８０の配設されていない電力供給ユニット一体型回転電機１Ａを自動車に搭載して用いる場合について説明する。
図７は撓み防止部材が取り付けられていない電力供給ユニット一体型回転電機のリヤブラケット側を模式的に示す要部断面図であり、図７の（ａ）は、リヤブラケットの通常時の状態を示し、図７の（ｂ）は自動車の走行による振動によってリヤブラケットが撓んだ状態を示している。
【００８９】
電力供給ユニット一体型回転電機１Ａは、例えば、図示しない自動車に搭載され、図７の（ａ）に示されるように、例えば、自動車が停止されており、リヤブラケット４Ａに応力がかかっていなければ、筒状部６Ａは、回転子１０を囲繞する固定子１５の軸心に一致するように配置されている。
そして、自動車が走行して振動すると、図７の（ｂ）のように、筒状部６Ａは、軸心が撓むように変形することがある。
【００９０】
上述したように、口出し線１９は、電力供給ユニット４０Ａの仕切り板５２に取り付けられた図示しない中継ターミナルに連結されているが、筒状部６Ａが撓み変形を繰り返すと、口出し線１９の中継ターミナルへの連結部が伸縮を繰り返すので、口出し線１９の金属疲労の原因となる。
【００９１】
一方、撓み防止部材８０が筒状部６Ａに取り付けられた場合、筒状部６Ａの両端間が撓もうとする変形抵抗が、撓み防止部材の長さの３乗に比例して大きくなることが知られている。
【００９２】
従って、この実施の形態３の電力供給ユニット一体型回転電機１Ｃによれば、電力供給ユニット一体型回転電機１Ｃが振動したときのリヤブラケット４Ａの撓みを防止できる。これにより、口出し線１９の金属疲労が抑制されるので、実施の形態１の効果に加えて、電力供給ユニット一体型回転電機１Ｃの耐震性を向上させることができるという効果が得られる。
【００９３】
なお、この実施の形態３では、撓み防止部材８０は、板状に作製されるものとして説明したが、ブロック状に作製されていてもよい。
また、撓み防止部材８０は、リヤブラケット４Ａの筒状部６Ａの内周面に取り付けられるものに限定されず、外周面に取り付けられていてもよい。
【００９４】
実施の形態４．
図８はこの発明の実施の形態４に係る電力供給ユニット一体型回転電機の断面図、図９は図８のＩＸ−ＩＸ矢視断面図、図１０はこの発明の実施の形態４に係る電力供給ユニット一体型回転電機のリヤブラケットの斜視図である。
なお、図８〜図１０において上記実施の形態と同一及び相当部分には同一符号を付し、その説明は省略する。
【００９５】
図８〜図１０において、電力供給ユニット一体型回転電機１Ｄは、リヤブラケット４Ｃが、リヤブラケット４Ａに代えて用いられ、ヒートシンク４１Ｄがヒートシンク４１Ｃに代えて用いられている他は、電力供給ユニット一体型回転電機１Ｃと同様に構成されている。
【００９６】
リヤブラケット４Ｃは、吸気口６ａと排気口６ｂの間に、筒状部６Ａの径方向の外側に突出する突出部７が、筒状部６Ａの周方向全域に形成されている他はリヤブラケット４Ａと同様に構成されている。また、孔方向が筒状部６Ａの軸方向に一致する第１取付用孔が、突出部７に、周方向に離間して形成されている。
また、取付用突出部４ａが、フロントブラケット４Ｂの外周面に突出部７と相対するように設けられ、取付用突出部４ａには、第２取付用孔が、第１取付用孔に同軸に形成されている。
【００９７】
また、ヒートシンク４１Ｄは、第１ガイド部４２ｂからモジュール取付部４２ａの径方向外側に向けて突出された複数の第３放熱フィン４３ｃを有する他はヒートシンク４１Ｂと同様に構成されている。
複数の第３放熱フィン４３ｃは、放熱面をモジュール取付部４２ａに直交する方向に平行にして、おおよそモジュール取付部４２ａの周方向に配列されている。
【００９８】
そして、ヒートシンク４１Ｄは、モジュール取付部４２ａとリヤブラケット４Ｃとの配置関係が、ヒートシンク４１Ａのモジュール取付部４２ａとの配置関係と同様となるように、リヤブラケット４Ｃ内に支持されている。これにより、第３放熱フィン４３ｃの延出端が筒状部６Ａの内周面に向けられる。
【００９９】
以上のように構成された電力供給ユニット一体型回転電機１Ｄにおいて、第１及び第２取付用孔は、例えば、電力供給ユニット一体型回転電機１Ｄを自動車のエンジンルーム（図示せず）の壁部に固定するのに利用される。
また、電力供給ユニット一体型回転電機１Ｄでは、第１通風路及び第２通風路が、電力供給ユニット一体型回転電機１Ｂの第１及び第２通風路と同様の経路をとるように形成され、第３放熱フィン４３ｃが第１通風路内に配置される。
【０１００】
そして、回転子１０の回転に連動してファン１８ａが回転されると、吸気口６ａからリヤブラケット４Ｃ内に吸い込まれた空気が、第１通風路及び第２通風路に分かれて流れた後、排気口６ｂから排出されるように流れる。
【０１０１】
この実施の形態４の電力供給ユニット一体型回転電機１Ｄは、吸気口６ａと排気口６ｂとの間のリヤブラケット４Ａの筒状部６Ａの外周部に、周方向に延在するように突設された突出部７を有している。これにより、排気口６ｂから排気された空気が、吸気口６ａに回り込むことが抑制される。
従って、第１と第２パワー回路モジュール４５ａ，４５ｂ、界磁回路モジュール４５ｃ、固定子１５、及び回転子１０の冷却を一層効果的に行うことができる。さらに、新たに第３放熱フィン４３ｃが、第１通風路内に延在されるように設けられたので、第１及び第２パワー回路モジュール４５ａ，４５ｂと界磁回路モジュール４５ｃで発生される熱の放熱性が一層向上し、第１及び第２パワー回路モジュール４５ａ，４５ｂと界磁回路モジュール４５ｃをさらに効果的に冷却することができる。
【０１０２】
なお、突出部７は、筒状部６Ａの周方向全域に亘って突出されるものとして説明したが、突出部が、吸気口６ａ及び排気口６ｂとの間に位置する筒状部６Ａの外周部の一部の部位に突設されているものでも、排気口６ｂから排気される空気が吸気口６ａ側にまわりこむのを抑える効果は残る。
【０１０３】
但し、突出部７が筒状部６Ａの周方向全域に亘って突出されている場合、例えば、客先仕様により、第２取付用孔が形成された取付用突出部４ａの筒状部６Ｂの周方向の突設位置が変わっても、第１取付用孔を第２取付用孔と同軸に突出部７に形成することができる。つまり、取付用突出部４ａの筒状部６Ｂの周方向の位置が変わるごとに、別プロセスで形成したリヤブラケット４Ｃを用意する必要がなくなる。
【０１０４】
実施の形態５．
図１１はこの発明の実施の形態５に係る電力供給ユニット一体型回転電機の要部断面図である。
なお、図１１において上記実施の形態と同一または相当部分には同一符号を付し、その説明は省略する。
【０１０５】
図１１において、電力供給ユニット一体型回転電機１Ｅは、電力供給ユニット４０Ａに代え、電力供給ユニット４０Ｂを有し、制御基板６２と第１パワー回路モジュール４５ａの間の信号伝送及び第１パワー回路モジュール４５ａと固定子１５の間の電力授受を行う配線部材としての配線基板７８を備え、中継基板７０は省略されている。他の電力供給ユニット一体型回転電機１Ｅの構成は電力供給ユニット一体型回転電機１Ａと同様に構成されている。
【０１０６】
電力供給ユニット４０Ｂは、６つの第１パワー回路モジュール４５ａ、界磁回路モジュール４５ｃ、及び第１パワー回路モジュール４５ａと界磁回路モジュール４５ｃのそれぞれが、それぞれ取り付けられる複数の分割ヒートシンク４１ａからなるヒートシンク４１Ｅを備えている。
各分割ヒートシンク４１ａには、第１パワー回路モジュール４５ａ、及び界磁回路モジュール４５ｃのいずれかが取り付けられる。そして、第１分割ユニット４０ａが、第１パワー回路モジュール４５ａ、及び第１パワー回路モジュール４５ａが取り付けられる分割ヒートシンク４１ａにより構成され、図示しない第２分割ユニットが界磁回路モジュール４５ｃ、及び界磁回路モジュール４５ｃが取り付けられる分割ヒートシンク４１ａにより構成される。
【０１０７】
分割ヒートシンク４１ａは、互いに直交する板状のモジュール取付部４２ｄ及び第３ガイド部４２ｅからなり、幅方向に垂直な断面がＬ字状のベースプレート４２Ｄと、モジュール取付部４２ｄ及び第３ガイド部４２ｅから延出される複数の第４放熱フィン４３ｄ及び複数の第５放熱フィン４３ｅと、を備える。
【０１０８】
第３ガイド部４２ｅが延在される側のモジュール取付部４２ｄ表面は、第１パワー回路モジュール４５ａまたは界磁回路モジュール４５ｃが取り付けられる取付面を構成し、複数の第４放熱フィン４３ｄはベースプレート４２Ｄの幅方向に配列されるようにモジュール取付部４２ｄの裏面から延出されている。また、複数の第５放熱フィン４３ｅが、ベースプレート４２Ｄの幅方向に配列されるように、第３ガイド部４２ｅの裏面から延出されている。
【０１０９】
複数の第１パワー回路モジュール４５ａは、複数のモジュール取付部４２ｄの取付面に取り付けられている。このとき、第１パワー回路モジュール４５ａは、第２リード端子４７をモジュール取付部４２ｄの先端側に、また、第２リード端子４６をモジュール取付部４２ｄの基端側に配置させてモジュール取付部４２ｄの取付面に取り付けられている。
同様に、界磁回路モジュール４５ｃが分割ヒートシンク４１ａのモジュール取付部４２ｄに取り付けられている。
【０１１０】
また、通風路形成手段５０Ｄが、仕切り部材５１、モジュール取付部４２ｄ、及び第３ガイド部４２ｅにより構成される。
【０１１１】
電力供給ユニット４０Ｂを構成する第１分割ユニット４０ａ及び第２分割ユニットは、回転軸２０の軸方向にモジュール取付部４２ｄの取付面を平行にして、筒状部６Ａの周方向に互いに間隔をあけ、ファン１８ａとリヤブラケット４Ａの底部５Ａとの間に配置されて、リヤブラケット４Ａに支持されている。詳細には図示しないが、第１及び第２分割ユニットの分割ヒートシンク４１ａは、同電位にされている。
【０１１２】
また、第１分割ユニット４０ａ及び第２分割ユニットは、モジュール取付部４２ｄの取付面を筒状部６Ａの内面に相対させるとともに、第５放熱フィン４３ｅの先端を底部５Ａに向けて配置されている。このとき、第４放熱フィン４３ｄは、筒状部６Ａの中心側に向けられる。また、リヤブラケット４Ａの吸気口６ａは、電力供給ユニット４０Ｂより底部５Ａ側に開口部を有する位置にある。
【０１１３】
そして、仕切り部材５１は、電力供給ユニット４０Ｂとファン１８ａとの間に、電力供給ユニット４０Ｂ及びファン１８ａの内径側を連通させるように配設されている。
【０１１４】
このように構成された電力供給ユニット一体型回転電機１Ｅでは、図１１の矢印付きの一点鎖線で示されるように、吸気口６ａから排気口６ｂに至る第３通風路が、ベースプレート４２Ｄ、通風路形成手段５０Ｄ、回転子１０、及び固定子１５によりリヤブラケット４Ａ内に形成されている。
【０１１５】
第３通風路は、吸気口６ａから、リヤブラケット４Ａの底部５Ａと第３ガイド部４２ｅとの間を通ってモジュール取付部４２ｄの表面側から裏面側に向かい、さらにモジュール取付部４２ｄの裏面と回転軸２０の一端側を囲繞するリヤブラケット４Ａの壁部やスリップリング２１との間の空間を通ってファン１８ａの内径側に至る経路を有している。さらに、第３通風路は、回転子１０及び固定子１５と仕切り部材５１との間の空間を通って排気口６ｂに至る経路を有している。このように形成された第３通風路内に、第４放熱フィン４３ｄ及び第５放熱フィン４３ｅが延在される。
【０１１６】
ファン１８ａが回転されると、ファン１８ａの内径側から径方向の外側に向かって空気が流れて排気口６ｂから排出され、ファン１８ａの内径側が負圧となる。ファン１８ａの内径側に発生した負圧によって吸気口６ａから吸いこまれる空気は、第５放熱フィン４３ｅ間、及び第４放熱フィン４３ｄ間を通過してファン１８ａの負圧部に導かれた後、排気口６ｂに送られて排気口６ｂから排出される。
【０１１７】
第１パワー回路モジュール４５ａで発生して第４放熱フィン４３ｄ及び第５放熱フィン４３ｅに伝導された熱、及び固定子１５や回転子１０で発生する熱が、第３通風路を通過する空気により奪われるので、第１パワー回路モジュール４５ａ、界磁回路モジュール４５ｃ、回転子１０、及び固定子１５が冷却される。
【０１１８】
この実施の形態５の電力供給ユニット一体型回転電機１Ｅによれば、電力供給ユニット４０Ｂは、第１パワー回路モジュール４５ａと界磁回路モジュール４５ｃのそれぞれがそれぞれ取り付けられる複数の分割ヒートシンク４１ａにより構成されている。
そして、電力供給ユニット４０Ｂは、ファン１８ａとリヤブラケット４Ａの底部５Ａとの間に配置されている。このとき、リヤブラケット４Ａには、排気口６ｂが、ファン１８ａの径方向外側に位置する部位に形成され、吸気口６ａが電力供給ユニット４０Ｂより底部５Ａ側に開口するように形成されている。
【０１１９】
また、仕切り部材５１が、電力供給ユニット４０Ｂとファン１８ａとの間に、電力供給ユニット４０Ｂとファン１８ａの内径側を連通させるように配設されている。そして、ファン１８ａの回転時、ファン１８ａの内径側に発生する負圧によって吸気口６ａから吸いこまれる空気を、ファン１８ａの負圧部に導いた後に排気口６ｂに送る第３通風路が、仕切り部材５１の配設によって構成されている。
【０１２０】
そして、分割ヒートシンク４１ａのそれぞれは、表面に第１パワー回路モジュール４５ａ及び界磁回路モジュール４５ｃのいずれかが取り付けられる板状のモジュール取付部４２ｄ、及びモジュール取付部４２ｄの裏面に突設される第５放熱フィン４３ｅを備え、
複数の分割ヒートシンク４１ａは、モジュール取付部４２ｄを回転軸２０の軸方向に平行に、かつ第５放熱フィン４３ｅを第３通風路内に延在させて配列されている。
【０１２１】
以上のように、電力供給ユニット４０Ｂをリヤブラケット４Ａ内に配置し、吸気口６ａを電力供給ユニット４０Ｂより底部５Ａ側のリヤブラケット４Ａの部位に設け、排気口６ｂを電力供給ユニット４０Ｂより回転子１０側のリヤブラケット４Ａの部位に設けている。このため、電力供給ユニット一体型回転電機１Ｅを大型化させることなく、吸気口と排気口の間の距離を長くとることができ、電力供給ユニット一体型回転電機１Ｅによれば、電力供給ユニット一体型回転電機１Ａと同様の効果が得られる。
【０１２２】
さらに、取付面４２ｆを回転軸２０の軸方向に平行に配置することで、上述した回転軸２０の軸方向に直交するモジュール取付部４２ａの取付面に取り付けるものに比べ、第１パワー回路モジュール４５ａまたは界磁回路モジュール４５ｃを取り付けるための取付面の面積を広くとることが可能になる。
【０１２３】
ここで、例えば、電力供給ユニット一体型回転電機１Ａのように、回転軸２０の軸方向に直交させて配置したモジュール取付部４２ａに、第１及び第２パワー回路モジュール４５ａ，４５ｂと界磁回路モジュール４５ｃを取り付ける場合では、第１及び第２パワー回路モジュール４５ａ，４５ｂを取り付けるのに必要なモジュール取付部４２ａの取付面の面積を小さくするため、図１に示されるように、第１及び第２パワー回路モジュール４５ａ，４５ｂと界磁回路モジュール４５ｃの封止体４８の外形を工夫することがある。
【０１２４】
前述したように、第１及び第２パワー回路モジュール４５ａ，４５ｂは、鏡面対称構造に作製されている。第１及び第２パワー回路モジュール４５ａ，４５ｂの封止体４８の外形は、封止体４８の表面から見ておおよそ矩形形状であるが、以下のように角部の一部が角取りされている。即ち、第１及び第２パワー回路モジュール４５ａ，４５ｂの封止体４８は、図２に示されるように、モジュール取付部４２ａの内径側に第１リード端子４６を向けて一対の第１及び第２パワー回路モジュール４５ａ，４５ｂをモジュール取付部４２ａの周方向に並べたときに、モジュール取付部４２ａの内径側で互いに隣接する角部を角取りした形状に構成されている。
【０１２５】
これにより、図２に示されるように、封止体４８に角取り部を形成した第１及び第２パワー回路モジュール４５ａ、４５ｂでは、角取り部を形成しないものに比べ、パワー回路モジュール４５ａ，４５ｂを衝突させることなく近接させることが可能となる。このため、パワー回路モジュール４５ａ、４５ｂを取り付けるのに必要な取付面の面積が小さくなり、取付面の狭いモジュール取付部４２ａに対して、第１及び第２パワー回路モジュール４５ａ，４５ｂを取り付けることを可能にしている。
【０１２６】
以上のように第１及び第２パワー回路モジュール４５ａ，４５ｂの封止体４８を形成する場合、パワー回路モジュール４５ａ，４５ｂは鏡面対照構造とする必要がある。このため、異なる２種の金型が、第１及び第２パワー回路モジュール４５ａ，４５ｂをモールド成形により作製するのに必要となる。
【０１２７】
これに対し、ヒートシンク４１Ｅを構成する分割ヒートシンク４１ａは、モジュール取付部４２ｄを回転軸２０に平行にして配置可能な構成であり、パワー回路モジュール４５ａを搭載するためのモジュール取付部４２ｄの取付面の面積を広くとることができる。従って、パワー回路モジュールの封止体４８を異なる形状にして、第１パワー回路モジュール４５ａを取り付けるのに必要なモジュール取付部４２ｄ上の取付面の面積を小さくする必要がなくなる。つまり、異なる外形の封止体４８を有する第１及び第２パワー回路モジュール４５ａ，４５ｂを用いる必要がなくなる。
【０１２８】
これにより、複数のパワー回路モジュールとして、同一の第１パワー回路モジュール４５ａを採用するだけでよく、第２パワー回路モジュール４５ｂをモールド成形により作製するのに必要な金型が不要となるので、電力供給ユニット一体型回転電機１Ｅの製造コストの削減につながる。
【０１２９】
また、モジュール取付部４２ｄを回転軸２０に平行にして配置すると、第１リード端子４６、第２リード端子４７を、制御基板６２と仕切り板５２とを結ぶ線上に配置させることが容易に行える。
【０１３０】
例えば、制御基板６２から長尺の一枚の配線基板７８を、第１リード端子４６から仕切り板５２に至るように直線的に配設し、かつ、予め、配線基板７８に、第１リード端子４６と制御基板６２の制御信号送信用端子とを接続するとともに、口出し線１９が接続される仕切り板５２に取り付けられている中継ターミナルと第２リード端子４７とを接続する配線パターンを形成しておく。これにより、制御基板６２と第１リード端子４６との間の接続、及び第２リード端子４７と口出し線１９との間の接続に、同一工程で作製可能な配線基板７８を用いることが可能となり、電力供給ユニット一体型回転電機１Ｅの製造コストが削減できる。
【０１３１】
また、複数の分割ヒートシンク４１ａとリヤブラケット４Ａとを同電位に接続されているので、リヤブラケット４Ａがある程度変形し、ヒートシンク４１Ａに接触してしまっても、分割ヒートシンク４１ａとリヤブラケット４Ａが短絡することがなくなる。これにより、分割ヒートシンク４１ａをリヤブラケット４Ａの内面との間に隙間をなくすように大型化してリヤブラケット４Ａ内に配置することができ、分割ヒートシンク４１ａの放熱性能が向上する。
【０１３２】
なお、この実施の形態５では、第３ガイド部４２ｅ及び第５放熱フィン４３ｅを設けるものとして説明したが、第３ガイド部４２ｅ及び第５放熱フィン４３ｅは省略してもよい。
【０１３３】
また、ヒートシンクは、それぞれ、板状のモジュール取付部４２ｄを有する複数の分割ヒートシンク４１ａからなるヒートシンク４１Ｅを用いるものとして説明したが、ヒートシンクには、以下の図１２に示されるように、筒状のモジュール取付部を有するものを用いることもできる。
【０１３４】
図１２はこの発明の実施の形態５に係る電力供給ユニット一体型回転電機のヒートシンクの他の実施態様を示す分解斜視図である。
【０１３５】
図１２において、ヒートシンク４１Ｆは、略断面７角形の外形形状を有する筒状に形成されたモジュール取付部４２ｇ、モジュール取付部４２ｇに突設された第６放熱フィン４３ｆを有している。
モジュール取付部４２ｇの外周部を構成する７面のそれぞれが、パワー回路モジュール４５ａ，４５ｂ及び界磁回路モジュール４５ｃのいずれかを取り付けるための取付面４２ｆを構成している。また、第６放熱フィン４３ｆは、モジュール取付部４２ｇの内周部に突設されている。第６放熱フィン４３ｆは、モジュール取付部４２ｇの長手方向の全域に亘って、互いに間隔をあけてモジュール取付部４２ｇの内周部に垂直に突設されている。
【０１３６】
そして、図示しない電力供給ユニットが、ヒートシンク４１Ｆと、７つの取付面４２ｆにわかれて取り付けられた第１パワー回路モジュール４５ａ及び界磁回路モジュール４５ｃと、により構成される。
【０１３７】
このように構成された電力供給ユニットを、電力供給ユニット４０Ｂに代えて用いた電力供給ユニット一体型回転電機でも、電力供給ユニット一体型回転電機１Ｅと同様の効果が得られる。
【０１３８】
具体的には、ヒートシンク４１Ｆを、モジュール取付部４２ｇが回転軸２０を囲繞し、取付面４２ｆが回転軸２０に平行に配置されるように配置する。このように構成される電力供給ユニット一体型回転電機でも、ヒートシンク４１Ｅを分割ヒートシンク４１ａで構成したのと同様に、第１パワー回路モジュール４５ａと界磁回路モジュール４５ｃを取り付けるためのモジュール取付部４２ｇの取付面４２ｆの面積を広くとることができる。これにより、ヒートシンク４１Ｆを用いた電力供給ユニット一体型回転電機でも、電力供給ユニット一体型回転電機１Ｅと同様の効果が得られる。
【０１３９】
なお、この実施態様では、ヒートシンクは、筒状に構成されるものとして説明したが、ヒートシンクは、断面Ｃ字状であってもよい。
また、モジュール取付部４２ｇの外周部に取付面４２ｆが構成され、内周部に第６放熱フィン４３ｆが突設されるものとして説明したが、モジュール取付部４２ｇの内周部に取付面４２ｆが構成され、外周部に第６放熱フィン４３ｆが突設されるものでもよい。
【符号の説明】
【０１４０】
２  回転電機本体、３  ハウジング、４Ａ  リヤブラケット、４Ｂ  フロントブラケット、５Ａ  底部、６ａ  吸気口、６ｂ  排気口、７  突出部、１０  固定子、１５  固定子、１８ａ  ファン、２０  回転軸、４０Ａ，４０Ｂ  電力供給ユニット、４１Ａ〜４１Ｆ  ヒートシンク、４１ａ  分割ヒートシンク、４２ａ  モジュール取付部、４２ｂ  第１ガイド部、４２ｃ  第２ガイド部、４２ｄ  モジュール取付部、４２ｆ  取付面、４２ｇ  モジュール取付部、４３ａ  第１放熱フィン、４３ｂ  第２放熱フィン、４３ｃ  第３放熱フィン、４３ｄ  第４放熱フィン（放熱フィン）、４３ｆ  第６放熱フィン（放熱フィン）、４５ａ，４５ｂ  パワー回路モジュール、４５ｃ  界磁回路モジュール、５１  仕切り部材、８０  撓み防止部材。
【図１】
2011166948.tif 000003
【図２】
2011166948.tif 000004
【図３】
2011166948.tif 000005
【図４】
2011166948.tif 000006
【図５】
2011166948.tif 000007
【図６】
2011166948.tif 000008
【図７】
2011166948.tif 000009
【図８】
2011166948.tif 000010
【図９】
2011166948.tif 000011
【図１０】
2011166948.tif 000012
【図１１】
2011166948.tif 000013
【図１２】
2011166948.tif 000014